【手続補正書】
【提出日】平成26年11月28日(2014.11.28)
【手続補正１】
【補正対象書類名】明細書
【補正対象項目名】発明の名称
【補正方法】変更
【補正の内容】
【発明の名称】連動型照明器具
【手続補正２】
【補正対象書類名】明細書
【補正対象項目名】０００１
【補正方法】変更
【補正の内容】
【０００１】
本発明は、人感センサと周辺照度検出用の照度センサを用いて、ユーザーにとって適切な照明環境を設定して自動化でき、人が常時廊下や階段等の通路を安全に通行することができ、かつ必要な時間だけ照明できる連動型照明器具に関する。
【手続補正３】
【補正対象書類名】明細書
【補正対象項目名】０００７
【補正方法】変更
【補正の内容】
【０００７】
本発明は上述の問題に鑑み、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明器具を提供することにある。
【手続補正４】
【補正対象書類名】明細書
【補正対象項目名】０００８
【補正方法】変更
【補正の内容】
【０００８】
本発明は上記の要求を実現するために、通路の両端側に配置した２つの親器としての照明器具と、それら通路の両端側の２つの親器間の中間位置に配置した子器としての照明器具とが連動して、全ての照明器具が同時に点灯でき、しかも人が廊下に留まっている間は全ての照明器具が点灯し続けることができる連動型照明器具を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、人感センサと周辺照度検出用の照度センサを用いて、ユーザーにとって適切な照明環境を設定して自動化することを可能とし、人が常時廊下や階段等の通路を安全に通行することができ、かつ必要な時間だけ照明することができる連動型照明器具を実現することができる。
【手続補正７】
【補正対象書類名】明細書
【補正対象項目名】００２４
【補正方法】変更
【補正の内容】
【００２４】
ＰＤタッチ用照度センサ部２６は、本来、周辺の環境照度を検出するための照度センサ部をユーザー指令用にも兼用するものであり、照明器具の筐体(外装体)に設けた照度検出用採光部(外光取り入れ口)から周辺環境光(外光)を取り入れ可能となっており、ユーザーが採光部を指で短時間(例えば２秒間)塞ぐ操作を行うことによって照度センサＰＤ1で照度変化を検出して制御用マイコンＩＣ2に伝え、マイコンＩＣ2がそのときの照度検出値の変化特性から例えば調光指令と判断して調光指令信号を生成して出力できるようにするためのものである。ＰＤタッチについては、本出願人が２０１０年１０月８日に特許出願した特願２０１０−２２９０２２号明細書に原理及び応用について説明したものがある。
【手続補正８】
【補正対象書類名】明細書
【補正対象項目名】００２７
【補正方法】変更
【補正の内容】
【００２７】
二系統の電源回路(電源部２１)のうちの第２の電源回路は、ＡＣ入力端子Ｌと交流入力端子２との間に、抵抗Ｒ3，Ｒ4及びダイオードＤ1，Ｄ2による半波整流回路が形成され、その整流出力端には充電コンデンサＣ3及び定電圧ダイオードＺＤ1の並列回路が接続され、その定電圧出力はレギュレータ用の直流電源電圧としてレギュレータＩＣ1に供給され、レギュレータＩＣ1の出力側に並列接続された平滑コンデンサＣ4を介して安定化直流電源電圧として出力され、電流検知部２３、制御部２４、人感センサ部２５、及びＰＤタッチ用照度センサ部２６に電源を供給する。
【手続補正９】
【補正対象書類名】明細書
【補正対象項目名】００６７
【補正方法】変更
【補正の内容】
【００６７】
人感センサ部６３において、焦電センサＰＥＤ1の出力はＩＣ2, ＩＣ3の２つのオペアンプで約６０ｄｂ増幅され、その出力は演算部としてのマイコンＩＣ5のＡＤ変換入力端子に入力される。また、照度センサ部６４において、照度センサＩＣ4の出力もマイコンＩＣ5のもう一つのＡＤ変換入力端子に入力される。
【手続補正１０】
【補正対象書類名】明細書
【補正対象項目名】００７５
【補正方法】変更
【補正の内容】
【００７５】
人感センサ出力で最初に点灯した側（ここでは２０Ａ側）をマスターと呼称し、マスター側からの点灯信号で点灯した方をスレーブと呼称する。
【手続補正１１】
【補正対象書類名】明細書
【補正対象項目名】００７８
【補正方法】変更
【補正の内容】
【００７８】
一方、２０Ａ側のフォトカブラＰＣの一次側が導通するため出力側のフォトトランジスタがオンしてＮＯＲゲートのＧ1入力がＬレベルとなる。この時、Ｇ２入力はマイコンＩＣ5のＩＮ1に人感センサ出力が存在しないのでＬレベルのままとなり、ＮＯＲゲート出力はＨレベルとなる。ＮＯＲゲート出力がＨレベルに変化するとマスター側はＬＥＤ群を消灯するようにコマンドを出力し、ＬＥＤ群を消灯する。  
このようにして２０Ａ，２０Ｂ同時にＬＥＤ群を連動して消灯することができる。
【手続補正１２】
【補正対象書類名】明細書
【補正対象項目名】００８３
【補正方法】変更
【補正の内容】
【００８３】
このとき、フォトカブラＰＣ2の一次側の赤外線ダイオードも導通し、二次側のフォトトランジスタもオンしてＮＯＲ2ゲートのＧ3端子がＬレベル、しかしマイコンＩＣ8のＤ2端子がＨレベルなので、ＮＯＲゲートのＧ4端子はＨレベルとなり、ＮＯＲ2の出力はＬレベルでマイコンＩＣ8に対しては無信号である。
【手続補正１３】
【補正対象書類名】明細書
【補正対象項目名】０１０３
【補正方法】変更
【補正の内容】
【０１０３】
２０Ａを人が通過すると、パルスＴａが２０Ｂに伝達され、各マイコンＩＣ5のレジスタがインクリメントされ＋１となる。しかる後、２０Ｂを人が通過してパルスＴａが発生し、２０Ａに伝達され両者のマイコンＩＣ5のレジスタがインクリメントされ＋２となる。やがて両人がすれ違い、２０Ｂに２０Ａからの人が到達し、２０Ｂには２連のパルスＴａが発生し、２０Ａに伝達され、各レジスタはデクリメントされ内容は＋１に変化する。続いて、２０Ｂからの人が２０Ａに到達し、２０Ａには２連のＴａパルスが発生し、２０Ｂに伝達され、各レジスタの内容がデクリメントされクリア状態となり、ＬＥＤ照明が消灯されることになる。
【手続補正１４】
【補正対象書類名】特許請求の範囲
【補正対象項目名】全文
【補正方法】変更
【補正の内容】
【特許請求の範囲】
【請求項１】
人体を検知する人感センサと、
周辺の照度を検出する照度センサと、
前記人感センサと前記照度センサを用いて点灯が制御される照明部と、
照明器具間で連動し同時点灯するために、前記照明部の点灯状態を表す点灯情報を前記照明器具間で伝達する情報伝達部と、
を具備したことを特徴とする連動型照明器具。
【請求項２】
前記情報伝達部は、前記人感センサからの人感信号に基づいて点灯情報を生成し、該情報を信号線を用いて照明器具間で伝達することを特徴とする請求項１に記載の連動型照明器具。
【請求項３】
当該連動型照明器具が通路を含む照明エリアにおける人の出入り箇所付近に配置されている状態で、前記人感センサを少なくとも２つ用いてそれらの人感出力に基づき、前記出入り箇所から前記照明エリア内に人が出入りした人数を算出する演算部を更に具備し、
前記演算部は、算出した人数に基づいて前記照明エリア内に人が居ると判断したときは該エリア内にある全ての照明器具にその旨を伝達して該全ての照明器具の照明部を点灯させ、前記照明エリア内に人が居ないと判断したときは該エリア内にある全ての照明器具にその旨を伝達して該全ての照明器具の照明部を消灯させることを特徴とする請求項１又は２に記載の連動型照明器具。